(57)【特許請求の範囲】
【請求項１】
エアウェイケースと、
前記エアウェイケースと連通接合し、呼気を前記エアウェイケースへ案内導入するための呼気誘導部と、
前記呼気誘導部から前記エアウェイケース内に呼気を導入する第一の呼吸気流路と、
前記エアウェイケース内に導入され折り返された第一の呼吸気流路からの呼気を、前記呼気誘導部と連通せずに、前記エアウェイケースの外部へ排出する第二の呼吸気流路と
を具備することを特徴とするエアウェイアダプタ。
【請求項２】
前記エアウェイケースと呼気誘導部とは、着脱可能に構成されることを特徴とする請求項１記載のエアウェイアダプタ
【請求項３】
前記エアウェイケースは、対向する両側面に炭酸ガス測定用センサを装着可能とすることを特徴とする請求項１または２に記載のエアウェイアダプタ。
【請求項４】
前記エアウェイケースにおいて、第一の呼吸気流路と第二の呼吸気流路は併置されることを特徴とする請求項１ないし３のいずれかに記載のエアウェイアダプタ。
【請求項５】
前記エアウェイケースにおいて、第一の呼吸気流路と第二の呼吸気流路のいずれか一方が、他方を囲繞することを特徴とする請求項１ないし３のいずれかに記載のエアウェイアダプタ。
【請求項６】
前記呼気誘導部とエアウェイケースのいずれかに、鼻孔周囲を囲繞するための鼻カップを固定配置したことを特徴とする請求項１ないし５のいずれかに記載のエアウェイアダプタ。
【請求項７】
陽圧換気可能な鼻マスクの鼻マスクシェルに前記エアウェイアダプタの一部を固定配置し、前記鼻マスクシェルの外側にエアウェイケースが突出するように接続配置可能とすることを特徴とする請求項１ないし６のいずれかに記載のエアウェイアダプタ。
【請求項８】
前記呼気誘導部は、生体の鼻孔に挿入される鼻チューブであることを特徴とする請求項１ないし７のいずれかに記載のエアウェイアダプタ。
【請求項９】
前記呼気誘導部は、生体の鼻孔からの呼吸気を誘導する第一の誘導部と、生体の口からの呼吸気を誘導する第二の誘導部から構成されることを特徴とする請求項１ないし５のいずれかに記載のエアウェイアダプタ。
【請求項１０】
前記第一の誘導部より誘導された呼吸気と前記第二の誘導部より誘導された呼吸気は前記エアウェイケース内、又はエアウェイケースよりも上流側において合流することを特徴とする請求項９に記載のエアウェイアダプタ。
【請求項１１】
陽圧換気可能なフェースマスクに前記エアウェイアダプタの一部を固定配置し、前記フェースマスクシェルの外側にエアウェイケースが突出するように接続配置可能とすることを特徴とする請求項１ないし１０のいずれかに記載のエアウェイアダプタ。
【請求項１２】
前記第一の誘導部は、生体の鼻孔に挿入される鼻チューブであることを特徴とする請求項９ないし１１のいずれかに記載のエアウェイアダプタ。
【発明の詳細な説明】
【技術分野】
【０００１】
本発明は、生体の鼻孔又は口から排出される呼吸気中の炭酸ガスの有無や濃度等を検出測定するための炭酸ガス測定において、生体の鼻孔又は口から排出される呼気を誘導して呼気中の炭酸ガスに関する測定を有効に行うためのエアウェイアダプタの形状に関するものである。また、炭酸ガス測定用センサをエアウェイアダプタに取付ける場合において、その着脱操作を簡便かつ容易に行うことができるように構成したものである。
【背景技術】
【０００２】
従来において、生体の鼻孔又は口から排出される呼気中の炭酸ガスの有無や濃度等を検出測定するための炭酸ガス測定用センサとして、例えば、筒状ないし箱状に形成された気密ケースの左右両側面に、光を透過する透過窓をそれぞれ設けると共に、上下面等に呼気を案内導入して外部へ導出させるための開口部をそれぞれ形成したエアウェイケースを設け、このエアウェイケースの前記透過窓を設けた両側面に対して、発光素子と受光素子とを対向させて配置するように支持部材により支持する構成のエアウェイアダプタ内を通過する呼気に対する透過光を検出測定するように構成した炭酸ガス測定用センサが知られている（特許文献１参照）。
【０００３】
なお、前述した炭酸ガス測定用センサを取付けるためのエアウェイケースに対しては、生体の鼻孔から排出される呼気を有効に導入するため、一方の側には生体の２つの鼻孔にそれぞれ挿入する鼻チューブを有し、他方の側を前記エアウェイケースに設けた孔部に接続するように構成される。そして、前記炭酸ガス測定用センサは、前記エアウェイケースに対して、着脱可能に装着し得るよう構成されている。
【０００４】
このように構成される炭酸ガス測定用センサは、生体の鼻孔から排出される呼気を測定対象とすることから、エアウェイアダプタを使用して鼻孔に鼻チューブ装着するため、鼻マスクシェルを備えた炭酸ガス測定用鼻マスクとして構成したものにも応用可能である。
【０００５】
このような観点から、本出願人は、外部からマスク内に高流量のガスが供給されても、正確な炭酸ガス濃度測定が可能であり、しかも強制的に酸素等を送り込むことも可能に構成した、炭酸ガス測定用鼻マスクを開発し、特許出願を行った（特許文献２参照）。
【０００６】
すなわち、この特許文献２に記載の炭酸ガス測定用鼻マスクは、鼻を覆うように顔面に密着される密封縁を有し、内部が密封空間を構成する鼻マスクシェルと、鼻マスクシェルの一部に形成され、鼻マスクシェルが装着された状態において鼻孔直下に位置して鼻孔からの呼気が導入され、この導入された呼気を排出するための呼気排出口を有すると共に、鼻マスクシェル外に炭酸ガス測定用センサを着脱可能に取り付けるためのエアウェイケースと、外部から酸素や空気などの気体を鼻マスクシェル内に導入するための導入口と、鼻孔から前記エアウェイケースへ導入される呼気を、前記導入口から到来する気体によって希釈されることなく、前記鼻マスクシェル内において前記エアウェイケースへ導く経路を確保するための鼻チューブと、を具備する構成からなる。
【０００７】
従って、前記構成からなる炭酸ガス測定用鼻マスクにおいて、呼気は鼻チューブを介してエアウェイケースに到来し、適宜呼気排出口から鼻マスクシェル内に抜けるので、酸素等が鼻マスクシェルに設けた導入口へ到来しても、鼻からの呼気が導入口から流れ込む酸素等に希釈されることなく正確な炭酸ガス濃度測定を可能とする。また、鼻マスクシェルは、その密着縁部において顔面に密着されるため、前記導入口へ到来する酸素等を陽圧として使用することができ、睡眠時無呼吸症候群や呼吸不全の患者の治療に用いられるＣＰＡＰ(持続的気道陽圧法)やＮＰＰＶ（非侵襲的陽圧換気法）の機器に適用可能であり、従来まで困難であった陽圧換気下における炭酸ガス濃度測定を可能とした。
【先行技術文献】
【特許文献】
【０００８】
【特許文献１】特開２００３−３１５２６４号公報
【特許文献２】特開２００８−２０００６１号公報
【発明の概要】
【発明が解決しようとする課題】
【０００９】
前述した特許文献２において、炭酸ガス測定用鼻マスクに設けられている炭酸ガス測定用センサを取り付けるためのエアウェイケースは鼻マスクの一部として形成され、エアウェイケースの一端には鼻孔に挿入し得るＹ字形状の鼻チューブが設けられ、他端はエアウェイケースに設けた開放口に対向するように設けられている。そして、このように構成されたエアウェイケースに対して呼気の入口と出口とがそれぞれ対向するように設けられており、しかも呼気の導入気流を流れ易くするために、エアウェイケース全体を炭酸ガス測定用鼻マスクの内側に収める構成配置とする必要があった。
【００１０】
このように、炭酸ガス測定用鼻マスクは、複雑なデザインを有することから、複数の部品による組立て作業やメンテナンス等の作業を行う必要から、前記マスクとエアウェイケースとの間で、エアリークが起こらずに着脱可能とするためには、構造が複雑となる問題があった。また、炭酸ガス測定用センサをエアウェイケースに装着する場合においても、前記センサを前記鼻マスクの内側に入り込ませる必要があり、着脱操作が面倒になる難点も有していた。
【００１１】
さらに、前記炭酸ガス測定用鼻マスクは、複雑なデザインを有する特殊な形状であるため、製造が困難であり、製造技術やコストの点で課題が残った。
【００１２】
そこで、本発明の目的は、炭酸ガス測定用鼻マスク（又は炭酸ガス測定用フェースマスク）と、呼気誘導部およびエアウェイケースとの着脱操作が容易であって、エアウェイケースを前記鼻マスク（又は前記フェースマスク）の外部に突出する構成とし、さらにエアウェイケース内を通過する呼気の導入と排出とを、前記鼻マスク（又は前記フェースマスク）の外側にエアリークすることなくその内側において確実に行うことができる気密な構成とし、前記エアウェイケースに対して炭酸ガス測定用センサを容易に着脱操作することができるように構成した、エアウェイアダプタを提供することにある。
【課題を解決するための手段】
【００１３】
前記の目的を達成するため、本発明の請求項１に記載のエアウェイアダプタは、エアウェイケースと、前記エアウェイケースと連通接合し、呼気を前記エアウェイケースへ案内導入するための呼気誘導部と、前記呼気誘導部から前記エアウェイケース内に呼気を導入する第一の呼吸気流路と、前記エアウェイケース内に導入され折り返された第一の呼吸気流路からの呼気を、前記呼気誘導部と連通せずに、前記エアウェイケースの外部へ排出する第二の呼吸気流路とを具備することを特徴とする。
【００１４】
本発明の請求項２に記載のエアウェイアダプタは、前記エアウェイケースと前記呼気誘導部とが、着脱可能に構成されることを特徴とする。
【００１５】
本発明の請求項３に記載のエアウェイアダプタは、前記エアウェイケースが、対向する両側面に炭酸ガス測定用センサを装着可能とすることを特徴とする。
【００１６】
本発明の請求項４に記載のエアウェイアダプタは、前記エアウェイケースにおいて、第一の呼吸気流路と第二の呼吸気流路は併置されることを特徴とする。
【００１７】
本発明の請求項５に記載のエアウェイアダプタは、前記エアウェイケースにおいて、第一の呼吸気流路と第二の呼吸気流路のいずれか一方が、他方を囲繞することを特徴とする。
【００１８】
本発明の請求項６に記載のエアウェイアダプタは、前記呼気誘導部とエアウェイケースのいずれかに、鼻孔周囲を囲繞するための鼻カップを固定配置したことを特徴とする。
【００１９】
本発明の請求項７に記載のエアウェイアダプタは、陽圧換気可能な鼻マスクの鼻マスクシェルに前記エアウェイアダプタの一部を固定配置し、前記鼻マスクシェルの外側にエアウェイケースが突出するように接続配置可能とすることを特徴とする。
【００２０】
本発明の請求項８に記載のエアウェイアダプタは、前記呼気誘導部が、生体の鼻孔に挿入される鼻チューブであることを特徴とする。
【００２１】
本発明の請求項９に記載のエアウェイアダプタでは、前記呼気誘導部は、生体の鼻孔からの呼吸気を誘導する第一の誘導部と、生体の口からの呼吸気を誘導する第二の誘導部から構成されることを特徴とする。
【００２２】
本発明の請求項１０に記載のエアウェイアダプタでは、前記第一の誘導部より誘導された呼吸気と前記第二の誘導部より誘導された呼吸気は前記エアウェイケース内、又はエアウェイケースよりも上流側において合流することを特徴とする。
【００２３】
本発明の請求項１１に記載のエアウェイアダプタは、陽圧換気可能なフェースマスクに前記エアウェイアダプタの一部を固定配置し、前記フェースマスクシェルの外側にエアウェイケースが突出するように接続配置可能とすることを特徴とする。
【００２４】
本発明の請求項１２に記載のエアウェイアダプタでは、前記第一の誘導部は、生体の鼻孔に挿入される鼻チューブであることを特徴とする。
【発明の効果】
【００２５】
本発明に係るエアウェイアダプタによれば、エアウェイケース内を通過する呼気の導入と排出とを、エアウェイケースの上部面に設けた開口部において、呼気を案内導入するための呼気誘導部と連通する第一の呼吸気流路としての呼気導入通路と、呼気を外部へ排出するための第二の呼吸気流路としての呼気排出通路とが相互に隣接配置された構成とすることにより、呼気誘導部およびエアウェイケース並びに炭酸ガス測定用センサとの着脱操作を容易にし、さらには炭酸ガス測定用鼻マスクへの取り付けに際しても、炭酸ガス測定用センサの着脱操作を容易に行うことができる。
【００２６】
本発明に係るエアウェイアダプタによれば、呼気誘導部とエアウェイケースの着脱可能な構成を、比較的簡単な構成とすることができると共に、炭酸ガス測定用鼻マスクへの取り付けに際しても、エアウェイアダプタの一部だけが鼻マスクに固定配置されるだけなので、エアウェイケース内を通過する呼気の導入と排出とを、前記鼻マスクの外側にエアリークすることなく鼻マスクの内側において確実に行うことができる気密な構成とすることができる。
【００２７】
本発明に係るエアウェイアダプタによれば、エアウェイケース内に設けられる呼気導入通路を形成する一部に、生体の鼻孔周囲の顔面部分を囲繞するための鼻カップを固定配置することによって、睡眠時無呼吸症候群や呼吸不全の患者の治療に用いられるＣＰＡＰやＮＰＰＶ治療における陽圧換気下においても、鼻カップにより、鼻マスク内に陽圧吸入される酸素等による鼻からの呼気の希釈を防ぐことができる。
【００２８】
本発明に係るエアウェイアダプタによれば、炭酸ガス測定用鼻マスクの鼻マスクシェルの外縁部に前記エアウェイケースを固定配置して前記鼻マスクシェルの外側にエアウェイケースを接続配置することによって、エアウェイケース内を通過する呼気の導入と排出とを、前記鼻マスクの外側にエアリークすることなくその内側において確実に行うことができる気密な構成とすることができ、睡眠時無呼吸症候群や呼吸不全の患者の治療に用いられるＣＰＡＰやＮＰＰＶの機器への適用を容易化することができる。
【００２９】
本発明に係るエアウェイアダプタによれば、鼻マスクから突出したエアウェイケースを有するため、被験者が鼻マスクを装着中であっても、容易に炭酸ガス測定用センサの着脱が可能である。
【００３０】
本発明に係るエアウェイアダプタによれば、エアウェイケースの上部面に設けた開口部において、呼気導入通路と呼気排出通路とが相互に隣接配置された構造であるため、鼻マスクからエアウェイケースのみが突出できれば良く、既存の鼻マスクの構造に殆ど影響を与えることなく適用可能である。これに伴い、同時に使用される鼻マスクの製造コストを抑え、さらに様々な種類の鼻マスクに適用可能である。
【００３１】
本発明に係るエアウェイアダプタによれば、呼気誘導部が、生体の鼻孔からの呼吸気を誘導する第一の誘導部と、生体の口からの呼吸気を誘導する第二の誘導部から構成されるため、生体の鼻と口の両方からの呼吸気を管理可能とする。さらに、呼吸療法などでも広く用いられるフェースマスクにおいても適用可能である。
【図面の簡単な説明】
【００３２】
【図１】本発明に係るエアウェイアダプタの典型的な一構成例を示す正面図である。
【図２】図１に示すエアウェイアダプタのＡ−Ａ線断面図である。
【図３】本発明に係るエアウェイアダプタを炭酸ガス測定用鼻マスクに適用した実施例を示す斜視図である。
【図４】図３に示す炭酸ガス測定用鼻マスクに適用した本発明に係るエアウェイアダプタの正面図である。
【図５】本発明に係るエアウェイアダプタの詳細な構成を示す図４のＢ−Ｂ線要部断面図である。
【図６】本発明に係るエアウェイアダプタのエアウェイケースにおける第一および第二の呼吸気流路の構成と呼吸気の流れの関係を説明するものであって、（ａ）は第一および第二の呼吸気流路が併置される構成を示す説明図、（ｂ）は第一と第二の呼吸気流路の一方が他方を囲繞する構成を示す説明図である。
【図７】本発明に係るエアウェイアダプタの炭酸ガス測定用鼻マスクに適用した場合の使用状態を示す説明図である。
【図８】本発明に係るエアウェイアダプタの炭酸ガス測定用フェースマスクに適用した場合の概観図である。
【図９】本発明に係るエアウェイアダプタの炭酸ガス測定用フェースマスクに適用した場合の鼻および口からの呼吸気の流れを示す説明図である。
【図１０】本発明に係るエアウェイアダプタの炭酸ガス測定用フェースマスクに適用した場合の炭酸ガス測定用センサの取り付けを示す説明図である。
【図１１】本発明に係るエアウェイアダプタの炭酸ガス測定用フェースマスクに適用した場合の使用状態を示す説明図である。
【発明を実施するための形態】
【００３３】
次に、本発明に係るエアウェイアダプタの実施例につき、添付図面を参照しながら以下詳細に説明する。各図において、同一の構成要素には、同一の符号を付し重複する説明を省略する。
【００３４】
図１および図２は、本発明に係るエアウェイアダプタの典型的な一構成例を示すものであり、図１は正面図、図２は断面図を示すものである。
【００３５】
図１および図２において、本発明に係るエアウェイアダプタは、エアウェイケース１０と、前記エアウェイケース１０と連通接続し、呼吸気を前記エアウェイケース１０へ案内導入するための呼気誘導部２０とから構成されている。上記エアウェイケース１０と呼気誘導部２０とが、着脱可能に構成されている。
【００３６】
エアウェイケース１０は、呼気誘導部２０と連通接続するための接合部２２を備えると共に、筒状ないし箱状に形成された気密ケースの左右両側面に、光を透過する透過窓１２をそれぞれ設け、さらに上部面１４に呼気を案内導入して外部へ排出させるための開口部１５を形成した構成からなる。
【００３７】
呼気誘導部２０は、一方の側に生体の鼻孔へそれぞれ挿入するＹ字形状の鼻チューブ２３が設けられ、他方の側は前記エアウェイケース１０の上部面１４に形成した開口部１５に連通接続して前記エアウェイケース１０内に呼気を案内導入するように形成された接合部２２と連通接続されている。
【００３８】
そして、エアウェイケース１０は、前記呼気誘導部２０から案内導入される呼気を導入するための、第一の呼吸気流路としての呼気導入通路２４と、この呼気導入通路２４と隣接してエアウェイケース１０内に導入された呼気を外部へ排出するように形成された第二の呼吸気流路としての呼気排出通路２６とを設けた構成からなる。なお、参照符号２７は、前記呼気排出通路２６の排出口を示す。
【００３９】
図３ないし図５は、前記構成からなる本発明に係るエアウェイアダプタを、鼻マスクを構成する鼻マスクシェルの外縁部に適用した場合の一実施例を示すものであって、図３は斜視図、図４は正面図、図５は断面図をそれぞれ示す。
【００４０】
図３ないし図５において、エアウェイアダプタの呼気誘導部２０には、鼻孔に挿入される鼻チューブ２３を例示している。この場合、呼気誘導部２０は、鼻孔からの呼気を適切に接合部２２へ誘導できる形状であればよく、必ずしも鼻チューブ２３である必要はなく、例えば鼻孔を覆うお椀（カップ）型の形状であってもよい。
【００４１】
なお、エアウェイケース１０は、上部面１４に設けた開口部１５側において、仕切壁２５を介して少なくとも２つの通路を画設し、この画設した一方の通路を呼気導入通路２４として形成すると共に他方の通路を呼気排出通路２６として形成することができる（図５参照）。
【００４２】
例えば、エアウェイケース１０は、呼気導入通路２４を流れる呼気が、エアウェイケース１０内にて折り返され、呼気排出通路２６を流れる構造であってもよい〔図６の（ａ）参照〕。また、呼気導入通路２４と呼気排出通路２６とのうち、いずれか一方の周囲を、他方が所要の仕切壁２５′により画設して配置される構成であってもよい〔図６の（ｂ）参照〕。このように、第一の呼吸気流路である呼気導入通路２４と第二の呼吸気流路である呼気排出通路２６のいずれか一方が、他方を囲繞する構成とすることができる。この図６（ａ）とは逆に、呼気導入通路２４が呼気排出通路２６を囲繞するものであっても良い。以上の通り、第一の呼吸気流路としての呼気導入通路２４と第二の呼吸気流路としての呼気排出通路２６を流れる呼吸気の流れが逆方向となるように構成(設定)されている。
【００４３】
本実施例において、前記構成からなるエアウェイアダプタは、炭酸ガス測定用鼻マスクＭを構成する鼻マスクシェル３０の外縁部３２に、エアウェイケース１０の一部が固定配置され、前記鼻マスクシェル３０の外縁部３２の外側に、前記エアウェイケース１０が図示のように鼻マスクシェル３０から突出して接続配置される（図３ないし図５参照）。また、エアウェイケース１０の呼気導入通路２４を形成する一部に、生体の鼻孔周囲を囲繞するための鼻カップ３４が図示のように固定配置される（図３ないし図５参照）。
【００４４】
さらに、本実施例において、エアウェイケース１０の呼気排出通路２６の排出口２７は、鼻マスクシェル３０の内側に開口されている。そして、このように構成配置されたエアウェイアダプタの前記エアウェイケース１０に対しては、透過窓１２を設けた両側面に対向するように、炭酸ガス測定用センサ４０を、図４に示すように、着脱可能に装着することができる。
【００４５】
図７は、本実施例に係るエアウェイアダプタを適用して構成した炭酸ガス測定用鼻マスクＭの被験者に対する使用状態を示すものである。すなわち、この場合、炭酸ガス測定用鼻マスクＭの鼻マスクシェル３０の外縁部３２を、被験者の顔面の鼻の周囲を囲むようにして当接すると共に、鼻カップ３４が鼻孔の周囲部分を囲繞するように配置して、呼気誘導部２０の先端を鼻孔内にそれぞれ挿入する。鼻マスクシェル３０は外縁部３２により顔面に密着されるため、導入口２へ到来する酸素などを陽圧として使用することができる。
【００４６】
このようにして、被験者の鼻孔から排出される呼気は、呼気誘導部２０よりエアウェイケース１０の呼気導入通路２４を介して前記エアウェイケース１０へ案内導入される。そして、エアウェイケース１０内に導入された呼気は、呼気排出通路２６を介して、鼻マスクシェル３０の内側に開口された排出口２７より、鼻マスクシェル３０内に排出される（図５参照）。従って、このようにして前記エアウェイケース１０内を通過する呼気は、炭酸ガス測定用センサ４０によって、呼気中の炭酸ガス濃度等を検出測定することができる。
【００４７】
更に、本発明に係るエアウェイアダプタの別の実施例として、フェースマスクに適用した場合について、図８から図１１を参照しながら説明する。
【００４８】
図８は、本発明に係るエアウェイアダプタを、鼻及び口を覆うフェースマスクに適用した炭酸ガス測定用フェースマスクＭ２の概観図を示すものである。炭酸ガス測定用フェースマスクＭ２は、被験者の口及び鼻を含んで覆うことができる開口部を構成する外縁部６１を備えたフェースマスクシェル６０を具備する。フェースマスクシェル６０内には、エアウェイケース１０に連通する呼気誘導部２０が備えられている。呼気誘導部２０は、鼻孔からの呼吸気を誘導する第一の誘導部５０と、口からの呼吸気を誘導する第二の誘導部５２とから構成される。第一の誘導部５０の一例として、鼻チューブを図示したが、鼻を覆うカップ状の鼻カップであってもよい。またエアウェイアダプタの一部が、フェースマスクシェル６０の外縁部６１により構成される開口部からテ―パ状に細径とされた先端部６２に固定配置され、フェースマスクシェル６０の外側にエアウェイケース１０が突出する。上記において、フェースマスクシェル６０を備える構成もまた除いたフェースマスクシェル６０を構成も、エアウェイアダプタとして流通可能である。
【００４９】
図９は、本発明に係るエアウェイアダプタのフェースマスクに適用した場合の呼吸気の流れを示すものである。鼻からの呼吸気７０は、第一の誘導部５０から誘導され、エアウェイケース１０よりも上流（呼気の流れの上流）側の接合部２２において、口からの呼吸気７２と混合されるように構成されている。混合された呼吸気は、呼気導入通路２４を通過しエアウェイケース１０に誘導され、呼気排出通路２６よりフェースマスク内に排出される構成となっている。なお鼻からの呼吸気７０と口からの呼吸気７２は、エアウェイケース１０内で混合されても良い。
【００５０】
図１０は、本発明に係るエアウェイアダプタのフェースマスクに適用した場合における、炭酸ガス測定用センサの装着を示すものであり、図１１は被験者に対する使用状態を示すものである。図１０に明らかなように、エアウェイアダプタのエアウェイケース１０に対しては、炭酸ガス測定用センサ４０を着脱可能に装着することができる。フェースマスクシェル６０の外縁部６１が、図１１の如く被験者の顔に適切に密着して使用される。これにより、生体の鼻孔又は口から排出される呼気中の炭酸ガスの有無や濃度等を適切に検出測定することができる。フェースマスクシェル６０は外縁部６１により顔面に密着されるため、導入口２へ到来する酸素などを陽圧として使用することができる。
【００５１】
以上、本発明の好適な実施例について説明したが、本発明は前述した実施例に限定されることなく、例えばエアウェイケース１０に設ける第一の呼吸気流路としての呼気導入通路２４と、第二の呼吸気流路としての呼気排出通路２６との形成については、実施例のような仕切壁２５を設けることに代えて、前記各通路が相互に隣接して配置されるものであれば、他の公知の種々の構成とすることが可能であり、その他本発明の精神を逸脱しない範囲内において多くの設計変更を行うことができる。
【符号の説明】
【００５２】
１０  エアウェイケース
１２  透過窓
１４  上部面
１５  開口部
２０  呼気誘導路
２２  接合部
２３  鼻チューブ
２４  呼気導入通路（第一の呼吸気流路）
２５、２５′  仕切壁
２６  呼気排出通路（第二の呼吸気流路）
２７  排出口
３０  鼻マスクシェル
３２  外縁部
３４  鼻カップ
４０  炭酸ガス測定用センサ
Ｍ    炭酸ガス測定用鼻マスク
Ｍ２  炭酸ガス測定用フェースマスク
５０  第一の誘導部
５２  第二の誘導部
６０  フェースマスクシェル
６２  外縁部
７０  鼻からの呼気
７２  口からの呼気
【図１】
0005385825.tif 000002
【図２】
0005385825.tif 000003
【図３】
0005385825.tif 000004
【図４】
0005385825.tif 000005
【図５】
0005385825.tif 000006
【図６】
0005385825.tif 000007
【図７】
0005385825.tif 000008
【図８】
0005385825.tif 000009
【図９】
0005385825.tif 000010
【図１０】
0005385825.tif 000011
【図１１】
0005385825.tif 000012